(57)【特許請求の範囲】
【請求項１】
脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、環状に配置された前記Ｘ字型脚部の中心線上であり且つ前記頂部連結具の下方位置に配置された底部連結具と、前記中部連結具と前記頂部連結具との間を繋ぐ上側支持棒と、前記中部連結具と前記底部連結具との間を繋ぐ下側支持棒とを具備し、前記Ｘ字型脚部の脚が開閉可能なように、前記上側連結具は前記Ｘ字型脚部の隣り合う脚の上端同士を、前記下側連結具は前記Ｘ字型脚部の隣り合う脚の下端同士を連結しており、前記Ｘ字型脚部の開閉に伴って前記頂部連結具が下上する一方、前記底部連結具が上下するように、前記上側支持棒が前記中部連結具と前記頂部連結具との間に、前記下側支持棒が前記中部連結具と前記底部連結具との間に各々連結されていることを特徴とする折り畳み支持脚。
【請求項２】
脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、前記中部連結具と前記頂部連結具との間を繋ぐ上側支持棒とを具備し、前記Ｘ字型脚部の脚が開閉可能なように、前記上側連結具は前記Ｘ字型脚部の隣り合う脚の上端同士を連結しており、前記Ｘ字型脚部の開閉に伴って前記頂部連結具が下上するするように、前記上側支持棒が前記中部連結具と前記頂部連結具との間に各々連結されていることを特徴とする折り畳み支持脚。
【請求項３】
脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された底部連結具と、前記中部連結具と前記底部連結具との間を繋ぐ下側支持棒とを具備し、前記Ｘ字型脚部の脚が開閉可能なように、前記下側連結具は前記Ｘ字型脚部の隣り合う脚の下端同士を連結しており、前記Ｘ字型脚部の開閉に伴って前記底部連結具が上下するように前記下側支持棒が前記中部連結具と前記底部連結具との間に各々連結されていることを特徴とする折り畳み支持脚。
【請求項４】
請求項１記載の折り畳み支持脚において、前記頂部連結具及び底部連結具にはパラソル等のポールが挿入される開口部が設けられており、前記頂部連結具の開口部と前記底部連結具の開口部とは鉛直方向に位置するようになっていることを特徴とする折り畳み支持脚。
【請求項５】
請求項２記載の折り畳み支持脚において、前記頂部連結具にはパラソル等のポールが挿入される開口部が設けられていることを特徴とする折り畳み支持脚。
【請求項６】
請求項３記載の折り畳み支持脚において、前記底部連結具にはパラソル等のポールが挿入される開口部が設けられていることを特徴とする折り畳み支持脚。
【請求項７】
請求項４記載の折り畳み支持脚と、この折り畳み支持脚の前記上側連結具に取付可能な天板とを備え、前記天板は、前記頂部連結具及び底部連結具の開口部の上方位置に開口部が設けられていることを特徴とするテーブル。
【請求項８】
請求項５記載の折り畳み支持脚と、この折り畳み支持脚の前記上側連結具に取付可能な天板とを備え、前記天板は、前記頂部連結具の開口部の上方位置に開口部が設けられていることを特徴とするテーブル。
【請求項９】
請求項６記載の折り畳み支持脚と、この折り畳み支持脚の前記上側連結具に取付可能な天板とを備え、前記天板は、前記底部連結具の開口部の上方位置に開口部が設けられていることを特徴とするテーブル。
【請求項１０】
請求項７、８又は９記載のテーブルにおいて、前記上側連結具に取り外し可能に嵌合する嵌合部と、この嵌合部が設けられた横棒とを備え、前記横棒は、前記天板に取付可能にされていることを特徴とするテーブル。
【請求項１１】
請求項１０記載のテーブルにおいて、前記天板には、略Ω型の嵌合部が設けられており、前記横棒に嵌合するようになっていることを特徴とするテーブル。
【請求項１２】
請求項７、８、９、１０又は１１記載のテーブルにおいて、前記天板はすのこ状にされており、折り畳むことができることを特徴とするテーブル。
【発明の詳細な説明】
【０００１】
【発明の属する技術分野】
本発明は、テーブルを支える脚及びそれを用いたテーブルに関する。
【０００２】
【従来の技術】
従来の折り畳み支持脚を用いたテーブルは、脚と脚とが互いに交差し、この交点を支点として開閉可能に連結された４つのＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記上側連結具に取付可能な天板とを具備し、前記Ｘ字型脚部の脚が開閉可能なように、前記上側連結具は前記Ｘ字型脚部の隣り合う脚の上端同士を、前記下側連結具は前記Ｘ字型脚部の隣り合う脚の下端同士を連結しており、前記天板の中央に開口部が設けられている。
【０００３】
このような折り畳み支持脚を用いたテーブルは、天板の開口部にビーチパラソルのポールを挿入して支持することができ、これによりテーブル使用時において天板にビーチパラソルを立てることができるようになっている。
【０００４】
しかしながら、上記のような折り畳み支持脚を用いたテーブルは、ビーチパラソルのポールを天板の開口部のみで支持していることから、不安定であり、少しの風でぐらついてしまうというような欠点があった。
【０００５】
【発明が解決しようとする課題】
本発明は、上記事情に鑑みて創案されたものであって、その主たる目的は、ビーチビーチパラソル等を安定して支持することができる機能を有した折り畳み支持脚及びそれを用いたテーブルを提供することにある。
【０００６】
【課題を解決するための手段】
本発明の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、環状に配置された前記Ｘ字型脚部の中心線上であり且つ前記頂部連結具の下方位置に配置された底部連結具と、前記中部連結具と前記頂部連結具との間を繋ぐ上側支持棒と、前記中部連結具と前記底部連結具との間を繋ぐ下側支持棒とを具備し、前記Ｘ字型脚部の脚が開閉可能なように、前記上側連結具は前記Ｘ字型脚部の隣り合う脚の上端同士を、前記下側連結具は前記Ｘ字型脚部の隣り合う脚の下端同士を連結しており、前記Ｘ字型脚部の開閉に伴って前記頂部連結具が下上する一方、前記底部連結具が上下するように、前記上側支持棒が前記中部連結具と前記頂部連結具との間に、前記下側支持棒が前記中部連結具と前記底部連結具との間に各々連結されている。
【０００７】
本発明の別の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、前記中部連結具と前記頂部連結具との間を繋ぐ上側支持棒とを具備し、前記Ｘ字型脚部の脚が開閉可能なように、前記上側連結具は前記Ｘ字型脚部の隣り合う脚の上端同士を連結しており、前記Ｘ字型脚部の開閉に伴って前記頂部連結具が下上するするように、前記上側支持棒が前記中部連結具と前記頂部連結具との間に各々連結されている。
【０００８】
本発明の別の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された底部連結具と、前記中部連結具と前記底部連結具との間を繋ぐ下側支持棒とを具備し、前記Ｘ字型脚部の脚が開閉可能なように、前記下側連結具は前記Ｘ字型脚部の隣り合う脚の下端同士を連結しており、前記Ｘ字型脚部の開閉に伴って前記底部連結具が上下するように前記下側支持棒が前記中部連結具と前記底部連結具との間に各々連結されている。
【０００９】
より好ましくは、前記頂部連結具及び／又は前記底部連結具にはポールが挿入れる開口部が設けられている。前記頂部連結具及び前記底部連結具を備える場合には、当該頂部連結具の開口部と当該底部連結具の開口部とは鉛直方向に位置するようになっていることが望ましい。
【００１０】
本発明のテーブルは、上記折り畳み支持脚と、この折り畳み支持脚の上側連結具に取付可能な天板とを備え、前記天板は、前記頂部連結具及び／又は底部連結具の開口部の上方位置に開口部が設けられている
【００１１】
より好ましくは、前記上側連結具に取り外し可能に嵌合する嵌合部と、この嵌合部が設けられた横棒とを備え、前記横棒は、前記天板に取付可能にされていることが望ましい。
【００１２】
より好ましくは、前記天板には、略Ω型の嵌合部が設けられており、前記横棒に嵌合するようになっていることが望ましい。
【００１３】
より好ましくは、前記天板はすのこ状にされており、折り畳むことができることが望ましい。
【００１４】
【発明の実施の形態】
以下、本発明の実施の形態を図面を参照して説明する。図１は折り畳み支持脚に用いられるテーブルの概略的斜視図、図２は折り畳み支持脚の概略的斜視図、図３は上側連結具の概略的斜視図、図４は中部連結具の拡大斜視図、図５は頂部連結具又は底部連結具の拡大斜視図、図６は折り畳み支持脚を折り畳んだ状態を示す概略的斜視図である。図７は、ビーチパラソルを取り付けた折り畳み支持脚を用いたテーブルの概略的斜視図、図８は、ビーチパラソルを取り付けた折り畳み支持脚の概略的斜視図である。
【００１５】
図１に示すテーブルＡは、折り畳み支持脚Ｂと、折り畳み支持脚Ｂの上側連結具２１０に取付可能な天板６００とを具備する。折り畳み支持脚Ｂは、図２に示すように、脚１１０と脚１１０とが互いに交差し、この交点を支点として開閉可能に連結された４つのＸ字型脚部１００と、環状に配置されたＸ字型脚部１００の隣り合う脚１１０の上端同士を各々連結する上側連結具２１０と、環状に配置されたＸ字型脚部１００の隣り合う脚の下端同士を各々連結する下側連結具２２０と、Ｘ字型脚部１００の支点上に各々取り付けられる中部連結具３００と、環状に配置されたＸ字型脚部１００の中心線上に配置された頂部連結具５１０と、環状に配置されたＸ字型脚部１００の中心線上であり且つ頂部連結具５１０の下方位置に配置された底部連結具５２０と、中部連結具３００と頂部連結具５１０との間を繋ぐ上側支持棒４１０と、中部連結具３００と底部連結具５２０との間を繋ぐ下側支持棒４２０とを備える構成となっている。
【００１６】
また、この折り畳み支持脚Ｂは、Ｘ字型脚部１００の脚１１０が開閉可能なように、上側支持棒４１０はＸ字型脚部１００の隣り合う脚１１０の上端同士を、下側支持棒４２０はＸ字型脚部１００の隣り合う脚１１０の下端同士を連結しており、Ｘ字型脚部１００の開閉に伴って頂部連結具５１０が下上する一方、底部連結具５２０が上下するように、上側支持棒４１０が中部連結具３００と頂部連結具５１０との間に、下側支持棒４２０が中部連結具３００と底部連結具５２０との間に各々連結されている。
【００１７】
Ｘ字型脚部１００は、図１又は２に示すようにステンレスのパイプである脚１１０と脚１１０とが互いに交差さしてボルトとナットとで連結されたものである。
【００１８】
上側連結具２１０及び下側連結具２２０は、図１、２又は３に示すように切り込みの入った略円柱に形成されており、同一のものである。上側連結具２１０は、切り込みにより形成された立壁２１１に脚１１０の上端を各々ネジ止めにより連結し、この立壁２１１に対して垂直に形成された立壁２１２に隣り合う別のＸ字型脚部１００の脚１１０の上端を各々ネジ止めにより連結している。これと同様に下側連結具２２０は、脚１１０の下端を各々ネジ止めにより連結している。
【００１９】
上側支持棒４１０及び下側支持棒４２０は、図２に示すようにステンレスのパイプであり、同一のものである。
【００２０】
中部連結具３００は、図４に示すように平板部３１０と、この平板部３１０の両端に形成された突出部３２１と突出部３２２とからなる。中部連結具３００平板部３１０は、Ｘ字型脚部１００の交差点の内側に脚１１０と脚１１０と連結するのに用いたボルトとナットとで各々取り付けられており、上側支持棒４１０の一端が突出部３２１と突出部３２２との間に挟まれてネジ止めされている一方、その下方に下側支持棒４２０の一端が突出部３２１と突出部３２２との間に挟まれてネジ止めされている。
【００２１】
頂部連結具５１０及び底部連結具５２０は、図５に示すように略円筒形の台部５１１又は５２１と、この台部５１１又は５２１の開口部５１２又は５２２上に形成された略円筒形の中壁５１３又は５２３と、台部５１１又は５２１に略十字型に形成された凹部５１４又は５２４と、この凹部５１４又は５２４の両端に形成された立壁５１５又は５２５とからなり、同一のものである。
【００２２】
頂部連結具５１０及び底部連結具５２０の開口部５１１又は５２１の径は、ビーチビーチパラソルＣ等のポールを立てることができる大きさにされており、頂部連結具５１０及び底部連結具５２０の凹部５１４又は５２４には、上側支持棒４１０又は下側支持棒４２０の他端が挿入されて立壁５１５又は５２５に各々ネジ止めされている。
【００２３】
天板６００は、図１に示すように略長方形の板６１０を図示しない連結具で連結してすのこ状に連ねたものであり、折り畳み可能になっている。天板６００の裏面側の四隅には略逆Ω型の嵌合部６３０が取り付けられており、後述する横棒７００に嵌合するようになっている。天板６００の中央の板６１０には、頂部連結具５１０の開口部５１２及び底部連結具５２０の開口部５２２と同じ大きさの円柱形の開口部６１１が形成されている。
【００２４】
横棒７００は、図２に示すように２本のステンレスのパイプ７１０であり、その両端には嵌合部７２０が各々取り付けられている。この嵌合部７２０は、有底の円筒形であり、開口部７２１を有している。その底部の裏面側には略コ字型に突出したコ字型立壁７２２が形成されており、パイプ７１０は、コ字型立壁７２２の間に挿入され、ネジ止めによりコ字型立壁７２２に取り付けられている。開口部７２１の径は略円柱の上側連結具２１０の径よりやや大きめに形成されており、これにより嵌合部７２０は上側連結具２１０及び下側連結具２２０に嵌合するようになっている。
【００２５】
以下、テーブルＡの組み立て手順について説明する。
【００２６】
まず、折り畳み支持脚Ｂを持ち上げ、上側連結具２１０を左右に広げると、Ｘ字型脚部１００の交点を支点として脚１１０及び脚１１０が図２に示す矢印ａ方向に開くと共に、上側支持棒４１０及び下側支持棒４２０が図２に示す矢印ｂ方向に開き、これに伴って頂部連結具５１０が下がり、底部連結具５２０が上がる。
【００２７】
その後、折り畳み支持脚Ｂを地面に置き、２本の横棒７００の嵌合部７２０を図２に示す矢印ｃ方向にそれぞれ上側連結具２１０に嵌合させる。
【００２８】
次に天板６００の略逆Ω型の嵌合部６３０を横棒７００のパイプ７１０に嵌合させて天板６００を折り畳み支持脚Ｂに取り付ける。
【００２９】
ビーチパラソルＣをテーブルＡに立てる場合は、ビーチパラソルＣを天板６００の開口部６１１、頂部連結具５１０の開口部５１２、底部連結具５２０の開口部５２２に順次挿入し、図７に示すようにビーチパラソルＣをテーブルＡの中央に立てる。
【００３０】
以下、テーブルＡの収納手順について説明する。
【００３１】
まず、ビーチパラソルＣをテーブルＡに立てていた場合、ビーチパラソルＣのポールを底部連結具５２０の開口部５２２、頂部連結具５１０の開口部５１２、天板６００の開口部６１１から順次引き抜く。
【００３２】
横棒７００のパイプ７１０と天板６００の略逆Ω型の嵌合部６３０との嵌合を外し、天板６００を折り畳み支持脚Ｂから取り外す。
【００３３】
次に、横棒７００の嵌合部７２０と上側連結具２１０との嵌合を各々外し、横棒７００を折り畳み支持脚Ｂから取り外す。
【００３４】
その後、折り畳み支持脚Ｂを持ち上げ、上側連結具２１０を閉じると、Ｘ字型脚部１００の交点を支点として脚１１０及び脚１１０が図２に示す矢印ａ方向と反対方向に閉じると共に、上側支持棒４１０及び下側支持棒４２０が図２に示す矢印ｂ方向と反対方向に閉じ、それに伴って頂部連結具５１０が上がり、底部連結具５２０が下がる。これにより、折り畳み支持脚Ｂは図６に示すように閉じた状態になる。
【００３５】
以下、折り畳み支持脚Ｂのみを用いた使用方法について説明する。
【００３６】
まず、折り畳み支持脚Ｂを図６に示すように閉じた状態にする。その状態で、ビーチパラソルＣのポールを頂部連結具５１０の開口部５１２、底部連結具５２０の開口部５２２に順次挿入し、図８に示すようにビーチパラソルＣを立てる。
【００３７】
その後、折り畳み支持脚ＢをＸ字型脚部１００が開かないように紐又はベルクロ等で固定する。
【００３８】
折り畳み支持脚Ｂは、同様にランタンを吊り下げるためのポール、簡易シャワーのポール等を設置することも可能である。
【００３９】
上記のようなテーブルＡによる場合、天板６００の開口部６１１、頂部連結具５１０の開口部５１２及び底部連結具５２０の開口部５２２でビーチパラソルＣのポールを支持するようになっているので、安定してビーチパラソルＣを支持することができる。また、天板６００を取り付けずに、折り畳み支持脚Ｂ単独で使用した場合でも、頂部連結具５１０の開口部５１２及び底部連結具５２０の開口部５２２でビーチパラソルＣのポールを支持するようになっているので、折り畳み支持脚Ｂのみを用いて安定してビーチパラソルＣを支持することができる。
【００４０】
Ｘ字型脚部１００は、ここでは４つであるとしたが、３、５つ等、３以上であれば設計変更することが可能である。このように構成することにより、天板６００支持するのに最適な脚を用いることが可能になる。
【００４１】
脚１１０、脚１１０、上側支持棒４１０、下側支持棒４２０及び横棒７００は、ここではステンレスのパイプであるとしたが、、鉄、木等を用いた脚１１０、脚１１０、上側支持棒４１０、下側支持棒４２０及び横棒７００と設計変更することが可能である。このように構成することにより、強度の強い脚とすることが可能となる。
【００４２】
上側連結具２１０及び下側連結具２２０は、ここでは略円柱形であるとしたが、略角柱、略多角柱と設計変更することも可能である。また、この上側連結具２１０の形状に併せて横棒７００の嵌合部７２０の開口部７２１も設計変更することが可能である。このように構成することにより折り畳み支持脚Ｂは、様々な連結具を用いることが可能になる。
【００４３】
頂部連結具５１０及び底部連結具５２０は、ここでは開口部５１１又は５２１が形成されているとしたが、開口部５１１又は５２１を有さず、ビーチパラソルＣ等を取り付けることができる取付部を有するように設計変更することも可能である。このように構成することにより、折り畳み支持脚Ｂを用いたテーブルＡは、ビーチパラソル等をテーブルの中央で支持するだけでなく、他の位置で支持することも可能となる。
【００４４】
また、頂部連結具５１０及び底部連結具５２０は、ここでは開口部５１１又は５２１が形成されているとしたが、開口部５１１又は５２１を有さず、ビーチパラソルＣ等を頂部連結具５１０及び底部連結具５２０に立てかけるように設計変更することも可能である。このように構成することにより、折り畳み支持脚Ｂは、開口部５１１又は５２１を形成する工程を省略することができ、これにより低コスト化を図ることができる。
【００４５】
天板６００は、ここではすのこ状であるとしたが、一枚の板と設計変更することも可能である。このように構成されることにより、強度の強い天板とすることが可能となる。
【００４６】
折り畳み支持脚Ｂは、ここでは上側支持棒４１０及びこの上側支持棒４１０を連結する頂部連結具５１０と、下側支持棒４２０及びこの下側支持棒４２０を連結する底部連結具５２０を両方備えるとしたが、下側支持棒４２０及び底部連結具５２０を備えない又は上側支持棒４１０及び頂部連結具５１０を備えない折り畳み支持脚Ｂと設定変更することが可能である。このように構成することにより、部品点数を減らし、低コスト化を図ることができる。
【００４７】
折り畳み支持脚Ｂは、ここでは嵌合部７２０の開口部７２１が上側連結具２１０に嵌合するとしたが、上側連結具２１０に凹部を設け、嵌合部７２０に凸部を設けて嵌合するように設計変更することも可能である。このように構成することにより、嵌合部７２０の開口部７２１は上側連結具２１０の形状に併せて形成する必要がなく、様々な形状の嵌合部７２０を用いることが可能となる。
【００４８】
【発明の効果】
本発明の請求項１記載の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、環状に配置された前記Ｘ字型脚部の中心線上であり且つ前記頂部連結具の下方位置に配置された底部連結具と、前記中部連結具と前記頂部連結具との間を繋ぐ上側支持棒と、前記中部連結具と前記底部連結具との間を繋ぐ下側支持棒とを具備し、前記Ｘ字型脚部の脚が開閉可能なように、前記上側連結具は前記Ｘ字型脚部の隣り合う脚の上端同士を、前記下側連結具は前記Ｘ字型脚部の隣り合う脚の下端同士を連結しており、前記Ｘ字型脚部の開閉に伴って前記頂部連結具が下上する一方、前記底部連結具が上下するように、前記上側支持棒が前記中部連結具と前記頂部連結具との間に、前記下側支持棒が前記中部連結具と前記底部連結具との間に各々連結されている。
【００４９】
よって、請求項１記載の折り畳み支持脚による場合、脚と脚とを交差させたＸ字型脚部を用いているので、天板を取り付けてテーブルとして使用すると、当該天板を安定して支持することができる。
【００５０】
本発明のの請求項２記載の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、前記中部連結具と前記頂部連結具との間を繋ぐ上側支持棒とを具備し、前記Ｘ字型脚部の脚が開閉可能なように、前記上側連結具は前記Ｘ字型脚部の隣り合う脚の上端同士を連結しており、前記Ｘ字型脚部の開閉に伴って前記頂部連結具が下上するするように、前記上側支持棒が前記中部連結具と前記頂部連結具との間に各々連結されている。
【００５１】
よって、請求項２記載の折り畳み支持脚による場合、脚と脚とを交差させたＸ字型脚部を用いているので、天板を取り付けてテーブルとして使用すると、当該天板を安定して支持することができる。
【００５２】
本発明の請求項３記載の折り畳み支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された底部連結具と、前記中部連結具と前記底部連結具との間を繋ぐ下側支持棒とを具備し、前記Ｘ字型脚部の脚が開閉可能なように、前記下側連結具は前記Ｘ字型脚部の隣り合う脚の下端同士を連結しており、前記Ｘ字型脚部の開閉に伴って前記底部連結具が上下するように前記下側支持棒が前記中部連結具と前記底部連結具との間に各々連結されている。
【００５３】
よって、請求項３記載の折り畳み支持脚による場合、脚と脚とを交差させたＸ字型脚部を用いているので、天板を取り付けてテーブルとして使用すると、当該天板を安定して支持することができる。
【００５４】
本発明の請求項４記載の折り畳み支持脚は、請求項１記載の折り畳み支持脚において、前記頂部連結具及び底部連結具には開口部が設けられており、前記頂部連結具の開口部と前記底部連結具の開口部とは鉛直方向に位置する。本発明の５記載の折り畳み支持脚は、請求項２記載の折り畳み支持脚において、前記頂部連結具にはパラソル等のポールが挿入される開口部が設けられている。本発明の６記載の折り畳み支持脚は、請求項３記載の折り畳み支持脚において、前記底部連結具にはパラソル等のポールが挿入される開口部が設けられている。
【００５５】
よって、請求項４、５及び６記載の折り畳み支持脚による場合、頂部連結具の開口部、底部連結具の開口部にビーチパラソル等のポールを挿入して支持することができるので、ビーチパラソル等のポールのポール立てとして使用することができる。
【００５６】
本発明の請求項７記載のテーブルは、前記折り畳み支持脚と、この折り畳み支持脚の前記上側連結具に取付可能な天板とを備え、前記天板は、前記頂部連結具及び前記底部連結具の開口部の上方位置に開口部が設けられている。本発明の請求項８記載のテーブルは、前記折り畳み支持脚と、この折り畳み支持脚の前記上側連結具に取付可能な天板とを備え、前記天板は、前記頂部連結具の開口部の上方位置に開口部が設けられている。本発明の請求項９記載のテーブルは、前記折り畳み支持脚と、この折り畳み支持脚の前記上側連結具に取付可能な天板とを備え、前記天板は、前記底部連結具の開口部の上方位置に開口部が設けられている。
【００５７】
よって、請求項７、８及び９記載のテーブルによる場合、天板の開口部、頂部連結具の開口部及び／又は底部連結具の開口部でビーチパラソル等のポールを支持するようになっているので、安定してビーチビーチパラソルを支持することができる。また、天板が取り外し可能になっているので、持ち運びが便利である。
【００５８】
本発明の請求項１０記載のテーブルは、請求項７、８又は９記載のテーブルにおいて、前記上側連結具に取り外し可能に嵌合する嵌合部と、この嵌合部が設けられた横棒とを備え、前記横棒は、前記天板に取付可能にされている。
【００５９】
よって、請求項１０記載のテーブルによる場合、折り畳み支持脚が開かないように固定することができる。また、天板が上側連結具に取り付けやすくなる。
【００６０】
本発明の請求項１１記載のテーブルは、請求項１０記載のテーブルにおいて、前記天板には、略Ω型の嵌合部が設けられており、前記横棒に嵌合するようになっている。
【００６１】
よって、請求項１１記載のテーブルによる場合、天板の着脱が容易になる。
【００６２】
本発明の請求項１２記載のテーブルは、請求項７、８、９、１０又は１１記載のテーブルにおいて、前記天板がすのこ状にされており、折り畳むことができる。
【００６３】
よって、請求項１２記載のテーブルによる場合、天板をコンパクトに折り畳むことができることから、持ち運びに便利になる。
【図面の簡単な説明】
【図１】折り畳み支持脚に用いられるテーブルの概略的斜視図である。
【図２】折り畳み支持脚の概略的斜視図である。
【図３】上側連結具の概略的斜視図である。
【図４】中部連結具の拡大斜視図である。
【図５】頂部連結具又は底部連結具の拡大斜視図である。
【図６】折り畳み支持脚を折り畳んだ状態を示す概略的斜視図である。
【図７】ビーチパラソルを取り付けた折り畳み支持脚を用いたテーブルの概略的斜視図である。
【図８】ビーチパラソルを取り付けた折り畳み支持脚の概略的斜視図である。
【符号の説明】
Ａ  テーブル
Ｂ  折り畳み支持脚
Ｃ  ビーチパラソル
１００  Ｘ字型脚部
１１０  脚
２１０  上側連結具
２２０  下側連結具
３００  中部連結具
４１０  上側支持棒
４２０  下側支持棒
５１０  頂部連結具
５２０  底部連結具
６００  天板
７００  横棒
【図１】
0003646986.tif 000002
【図２】
0003646986.tif 000003
【図３】
0003646986.tif 000004
【図４】
0003646986.tif 000005
【図５】
0003646986.tif 000006
【図６】
0003646986.tif 000007
【図７】
0003646986.tif 000008
【図８】
0003646986.tif 000009